(57)【要約】【課題】  本考案の解決しようとする課題は、室内のスイッチやコンセントの蓋を各種の配色図柄をプリントしたカバーの失敗のない簡単な糊なし吸着にて覆うことにより、室内を美粧し雰囲気や気分を癒し和ませるようにすることにある。【解決手段】  本考案は微細なミクロ吸盤を内面の全面に設けた糊なし吸着シートの表面に癒し系，和み系，美粧系などの配色図柄をプリントしてカバーを形成し、該カバーを内面を用いて建物の壁面スイッチの蓋，コンセントの蓋に糊なし吸着して該壁面スイッチ，コンセントの蓋面を周囲と同調させ、癒し，和み，美粧などが得られるようにしたことを特徴とする壁面スイッチ，コンセント等の糊なし吸着カバーにある。【選択図】図２
0003105009.tif 000002
【実用新案登録請求の範囲】
【請求項１】
微細なミクロ吸盤を内面の全面に設けた糊なし吸着シートの表面に癒し系，和み系，美粧系などの配色図柄をプリントしてカバーを形成し、該カバーを内面を用いて建物の壁面スイッチの蓋，コンセントの蓋に糊なし吸着して該壁面スイッチ，コンセントの蓋面を周囲と同調させ、癒し，和み，美粧などが得られるようにしたことを特徴とする壁面スイッチ，コンセント等の糊なし吸着カバー。
【請求項２】
カバーは糊なし吸着によってきれいな剥がしと、繰返し交換吸着することができる請求項１に記載の壁面スイッチ，コンセント等の糊なし吸着カバー。
【請求項３】
カバーはスイッチ，コンセントの差込口上に用途別などを表示した表示片を糊なし吸着にて取付けする請求項１または２に記載の壁面スイッチ，コンセント等の糊なし吸着カバー。
【請求項４】
表示片は、カバーの差込口の切抜きにてできる切抜き片にて形成する請求項１乃至３のいずれかに記載の壁面スイッチ，コンセント等の糊なし吸着カバー。
【考案の詳細な説明】
【技術分野】
【０００１】
この考案は壁面スイッチ，コンセント等の糊なし吸着カバーに関するものである。
【背景技術】
【０００２】
従来、室内の壁面スイッチ，コンセントなどは、室内の壁面装飾とは関わりなしに金属やプラスチック製の例えば単色の蓋にて覆うにとどまっているために、壁面との間で不釣合であって調和しないものであった。そこで図柄などを印刷した樹脂成型のスイッチカバーをスイッチの蓋に貼るようにした提案もされている（例えば登録実用新案第３０３７７９０号公報参照）。
【特許文献１】登録実用新案第３０３７７９０号公報
【考案の開示】
【考案が解決しようとする課題】
【０００３】
しかしながら、従来のスイッチカバーは成形用の型を用いて成型するために高価であり、しかも裏面に粘着層（糊質）を形成して、スイッチの蓋に貼るようにしているので、一旦貼着したあとは簡単に剥がすことができず、無理に剥がすとすると蓋を壊したり、剥がしカスが蓋面に残るなどしてみにくいものとするという課題があった。
【課題を解決するための手段】
【０００４】
本考案は、内面の全面に微細なミクロ吸盤を多設して糊なし吸着タイプのシートとし、その表面に癒し系，和み系，美粧系などの配色図柄をプリントしてカバーを形成し、建物の壁面スイッチ，コンセントの蓋に内面のミクロ吸盤を用いて吸着して該壁面スイッチ，コンセントの蓋面を壁面装飾と調和させ、また癒し，和み，美粧感を与えるようにして、かかる課題を解決するようにしたのである。
【考案の効果】
【０００５】
本考案は以上のようにして、カバーを糊なし吸着タイプにて形成したので、吸着取付けしたあとも簡単に剥がすことができ、その際剥がしあとの糊カスなどが残らず、何度でも交換吸着することができるという効果を生ずる。スイッチ，コンセントの蓋を従来の周囲と調和しない単色から本考案のカバーを吸着することにより、癒し系，和み系などの配色図柄にて覆い美粧することとなるので、室内によく調和させることができて、室内の雰囲気を和らげ、居住者に癒し感などを与えるという効果を生ずる。
【０００６】
なお、カバーは差込口部分を切抜いて形成するが、この切抜き片にて糊なし吸着タイプの表示片を形成して、差込口の上に用途別などの表示をした表示片を糊なし吸着することもできる。
【考案を実施するための最良の形態】
【０００７】
本考案は、微細なミクロ吸盤を内面の全面に設けて糊なし吸着タイプのシート１を形成し、その表面に癒し系，和み系，美粧系などの配色図柄２をプリントしてカバー３とし、該カバー３を建物の壁面スイッチの蓋，コンセントの蓋に内面のミクロ吸盤を用いて糊なし吸着して該壁面スイッチ，コンセントの蓋面より癒し，和み，美粧などの感覚が得られるようにするのである。スイッチ等の蓋は平滑なためカバー３は確実に吸着する。そしてカバー３は糊なし吸着によって剥がしたいときは簡単に剥がし得て、従来見られていた糊カスなどの剥がしあとは全く生じないものとなる。交換して吸着させることも簡単にできるようになる。またカバー３は差込口部分を切抜いて形成するが、この切抜きにて糊なし吸着タイプの表示片を形成して、用途などを表示した表示片にして差込口上に糊なし吸着させることができるようにする。なお、この種の微細なミクロ吸盤を設けたシートは、ダイヤミック株式会社の製品名ダイヤフィット製などがある。表示片３ｂはカバー３の表面をフィルムコーティングなどして平滑にすることにより、糊なし吸着することが容易にできることになる。
【実施例１】
【０００８】
微細なミクロ吸盤を内面１ａの全面に多設した糊なし吸着タイプのシート１を形成する。該シート１の表面１ｂに壁面色などのほか、例えば空（雲）海，川，森などの自然や小動物、キャラクターなど見る人を癒し和ませ且つ室内と同調する配色図柄２をプリントしてカバー３を形成する。カバー３は図１に示す例のほか、図３に数例を示すようにスイッチ５の蓋５ａ，コンセント６の蓋６ａの各種の大きさおよびスイッチ５，コンセント６の差込口３ａを切抜いた形状にて形成する。
【０００９】
部屋のスイッチ５の蓋５ａの形状に合うものの中から室内の壁面，雰囲気などに合う配色図柄２のカバー３を選択し、スイッチ５の蓋５ａ面に吸着するのである。カバー３はミクロ吸盤による糊なし吸着により、吸着の直しが簡単にできるので、曲がったりシワを作ることなしにきれいに吸着させることができる。スイッチ５の蓋５ａは部屋に合ったスイッチのカバー３に覆われるために、居住者に違和感を解消して癒し感，和み感を与えることとなる。季節の移り変わりに伴ってカバー３を交換したいときは、カバー３を剥がし取るのである。糊なし吸着によって糊カスなどが残ることなくきれいに剥がすことができるので、別の配色図柄２のカバー３を選択して容易に交換吸着することができることとなる。剥がしたカバー３の吸着力は全く劣化することなく後日また再使用することが可能となる。
【実施例２】
【００１０】
図４乃至図５は他の実施例で、カバー３の配色図柄２を印刷した表面１ｂにフィルムコーティング等７を施して平滑にしたものである。平滑にしたことによりカバー３の表面上もミクロ吸盤の糊なし吸着ができるようになるので、カバー３の差込口部分の切抜き片を利用してスイッチ５の用途、例えば電灯，換気扇などを記載して形成する表示片３ｂをカバー３の差込口上に糊なし吸着することができることとなる。なお、表示片３ｂは無地にして使用者が用途などを自由に書き込めるようにしたものを用意しておくこともできる。
【産業上の利用可能性】
【００１１】
本考案は以上のようにして、糊なし吸着するシートの表面に壁面などと調和し、また癒し系，和み系などの配色図柄をプリントしたカバーを形成したので、浴室，トイレなどを含む室内のスイッチ，コンセントの蓋に交換容易にて吸着取付けすることができて、ごく手軽にスイッチ，コンセント類を室内に調和させ、癒し感，和み感を得ることができるものとなる。
【図面の簡単な説明】
【００１２】
【図１】壁面のスイッチ，コンセントと本考案のカバーの表面・内面を各別にて示す正面図
【図２】同、カバーを内面のミクロ吸盤を用いてスイッチの蓋に糊なし吸着した状態を示す正面図
【図３】スイッチやコンセントの各種形状に合わせたカバーの他の形成例を示す正面図
【図４】配色図柄をプリントした表面をフィルムコーティング等により平滑にした他のカバーの形成例を示す正面図と部分拡大側断面図
【図５】同、カバーをスイッチの蓋に糊なし吸着し、スイッチ上のカバー面に表示片を糊なし吸着した状態を示す正面図
【符号の説明】
【００１３】
１は糊なし吸着シート
１ａは微細なミクロ吸盤を多設した内面
１ｂは配色図柄をプリントした表面
２は配色図柄
３はカバー
３ａは差込口の切抜き部分
３ｂは表示片
４は壁面
５はスイッチ
５ａはスイッチの蓋
６はコンセント
６ａはコンセントの蓋
【図１】
0003105009.tif 000003
【図２】
0003105009.tif 000004
【図３】
0003105009.tif 000005
【図４】
0003105009.tif 000006
【図５】
0003105009.tif 000007